(57)【要約】【課題】任意のシーンをタイトルのサムネイル静止画像に容易に設定することができる情報記録再生装置を提供する。【解決手段】タイトルの再生中又は録画中に、ＨＤＤ搭載ＤＶＤレコーダー１００又はリモコン送信機１０１に設けられた所定の操作キーが押圧されたか否かを判定する判定部（制御部８の一機能）と、前記判定部によって前記所定の操作キーが押圧されたと判定された場合に、前記所定の操作キーが押圧された時点の再生シーン又は録画シーンを、再生中若しくは録画中のタイトルのサムネイル静止画像、又は、再生中若しくは録画中のタイトルのサムネイル静止画像の候補に設定するサムネイル静止画像設定部（制御部８の一機能）とを備えるＨＤＤ搭載ＤＶＤレコーダー１００。【選択図】図１
2010176736.tif 000002
【特許請求の範囲】
【請求項１】
タイトルの再生中又は録画中に、情報記録再生装置又は前記情報記録再生装置を遠隔操作するリモコン送信機に設けられた所定の操作キーが押圧されたか否かを判定する判定部と、
前記判定部によって前記所定の操作キーが押圧されたと判定された場合に、前記所定の操作キーが押圧された時点の再生シーン又は録画シーンを、再生中若しくは録画中のタイトルのサムネイル静止画像、又は、再生中若しくは録画中のタイトルのサムネイル静止画像の候補に設定するサムネイル静止画像設定部とを備えることを特徴とする情報記録再生装置。
【請求項２】
前記所定の操作キーに、タイトルの録画中やタイトルの再生中に用いられることの無い機能と、再生中又は録画中のタイトルのサムネイル静止画像設定機能とが割り当てられている請求項１に記載の情報記録再生装置。
【請求項３】
前記判定部が、タイトルの再生中又は録画中に、前記所定の操作キーが所定時間継続して押圧されたか否かを判定し、
前記サムネイル静止画像設定部が、前記判定部によってタイトルの再生中又は録画中に前記所定の操作キーが所定時間継続して押圧されたと判定された場合にのみ、前記所定の操作キーの押圧が開始された時点の再生シーン又は録画シーンを、再生中若しくは録画中のタイトルのサムネイル静止画像、又は、再生中若しくは録画中のタイトルのサムネイル静止画像の候補に設定する請求項１又は請求項２に記載の情報記録再生装置。
【請求項４】
前記所定の操作キーの選択及び前記所定時間の設定が可能である請求項３に記載の情報記録再生装置。
【発明の詳細な説明】
【技術分野】
【０００１】
本発明は、情報の記録及び再生を行う情報記録再生装置に関し、特にタイトルの記録及び再生を行う情報記録再生装置に関する。ここで、タイトルとは、一連の関連付けられた内容を有するデータのことであり、例えば、１回の録画によって得られた番組データなどが該当する。
【背景技術】
【０００２】
一般的な情報記録再生装置は、記録媒体（例えば、光ディスクやハードディスク等）に記録されているタイトル毎にタイトルのサムネイル静止画像とタイトル名や記録日時等とを一覧で表示させるためのタイトルメニュー画像データを出力する機能を有している。このタイトルメニュー画像データは、情報記録再生装置本体に接続されている表示装置に出力され、これにより、表示装置が、タイトルメニュー画像を表示する。ユーザは、表示装置の表示画面に表示されているタイトルメニュー画像によってタイトルのサムネイル静止画像とタイトル名、録画日時等との一覧を確認し、リモコン送信機や情報記録再生装置本体に設けられている操作キーを操作することにより再生するタイトルを選択する。
【０００３】
通常、タイトルのサムネイル静止画像には、タイトルの先頭フレーム画像が用いられる。ところが、ユーザがタイトルの代表的画像として所望する画像は、必ずしもタイトルの先頭フレーム画像とは限らない。このため、タイトルのサムネイル静止画像を変更することができ、タイトル中の任意のフレーム画像をタイトルのサムネイル静止画像として設定することができる情報記録再生装置が開発されている（例えば非特許文献１参照）。
【先行技術文献】
【特許文献】
【０００４】
【特許文献１】特開２００４−２８０９４０号公報
【特許文献２】特開２０００−３４１６４６号公報
【特許文献３】特開２００２−１５２６３６号公報
【特許文献４】特開平０９−２２４２９０号公報
【特許文献５】特開２００６−２２９６６４号公報
【非特許文献】
【０００５】
【非特許文献１】「デジタルハイビジョンチューナー内蔵ハードディスク搭載ブルーレイディスクレコーダー取扱説明書ＢＤＺ−Ａ７０」、１３９頁、ソニー株式会社、２００８年
【発明の概要】
【発明が解決しようとする課題】
【０００６】
しかしながら、従来の情報記録再生装置では、タイトルのサムネイル静止画像を変更する場合、タイトルメニュー画像が表示装置に表示されている状態において、「タイトルのサムネイル静止画像を変更する編集処理」を選択し、その後サムネイル静止画像を変更するタイトルを再生させて所望のシーンを探し、探し当てた所望のシーンを選択することしかできず、タイトルのサムネイル静止画像を変更するのに手間が掛かっていた（例えば、非特許文献１参照）。
【０００７】
なお、特許文献１及び特許文献２にはブックマークのサムネイル画像を生成する技術が開示されており、特許文献３にはチャプターの先頭サムネイル画像を生成する技術が開示されているが、これらの技術はタイトルのサムネイル静止画像の変更を容易にするものではない。
【０００８】
本発明は、上記の状況に鑑み、任意のシーンをタイトルのサムネイル静止画像に容易に設定することができる情報記録再生装置を提供することを目的とする。
【課題を解決するための手段】
【０００９】
上記目的を達成するために本発明に係る情報記録再生装置は、タイトルの再生中又は録画中に、情報記録再生装置又は前記情報記録再生装置を遠隔操作するリモコン送信機に設けられた所定の操作キーが押圧されたか否かを判定する判定部と、前記判定部によって前記所定の操作キーが押圧されたと判定された場合に、前記所定の操作キーが押圧された時点の再生シーン又は録画シーンを、再生中若しくは録画中のタイトルのサムネイル静止画像、又は、再生中若しくは録画中のタイトルのサムネイル静止画像の候補に設定するサムネイル静止画像設定部とを備える構成とする。
【００１０】
このような構成によると、タイトルの再生中又は録画中に直接、そのタイトルのサムネイル静止画像又はそのタイトルのサムネイル静止画像の候補を設定することができるので、任意のシーンをタイトルのサムネイル静止画像に容易に設定することができる。
【００１１】
また、上記構成の情報記録再生装置において、前記所定の操作キーに、タイトルの録画中やタイトルの再生中に用いられることの無い機能と、再生中又は録画中のタイトルのサムネイル静止画像設定機能とを割り当てるようにしてもよい。
【００１２】
また、上記いずれかの構成の情報記録再生装置において、前記判定部が、タイトルの再生中又は録画中に、前記所定の操作キーが所定時間継続して押圧されたか否かを判定し、前記サムネイル静止画像設定部が、前記判定部によってタイトルの再生中又は録画中に前記所定の操作キーが所定時間継続して押圧されたと判定された場合にのみ、前記所定の操作キーの押圧が開始された時点の再生シーン又は録画シーンを、再生中若しくは録画中のタイトルのサムネイル静止画像、又は、再生中若しくは録画中のタイトルのサムネイル静止画像の候補に設定するようにしてもよい。この場合、前記所定の操作キーの選択及び前記所定時間の設定が可能であることが望ましい。
【発明の効果】
【００１３】
本発明に係る情報記録再生装置によると、タイトルの再生中又は録画中に直接、そのタイトルのサムネイル静止画像又はそのタイトルのサムネイル静止画像の候補を設定することができるので、任意のシーンをタイトルのサムネイル静止画像に容易に設定することができる。
【図面の簡単な説明】
【００１４】
【図１】は、本発明に係る情報記録再生装置の一概略構成例を示す図である。
【図２】は、本発明に係る情報記録再生装置の概略動作を示すフローチャートである。
【図３】は、本発明に係る情報記録再生装置の他の概略動作を示すフローチャートである。
【図４】は、タイトルメニュー画像の一例を示す図である。
【発明を実施するための形態】
【００１５】
本発明の実施形態について図面を参照して以下に説明する。本発明に係る情報記録再生装置の一概略構成例を図１に示す。
【００１６】
図１に示す本発明に係る情報記録再生装置は、ＨＤＤ（Hard Disk Drive）搭載ＤＶＤレコーダー１００であって、アンテナ１０２及び表示装置１０３が接続されている。また、ＨＤＤ搭載ＤＶＤレコーダー１００はリコモン送信機１０１によって遠隔操作される。
【００１７】
ＨＤＤ搭載ＤＶＤレコーダー１００は、チューナ１と、映像音声圧縮伸長部２と、ＯＳＤ（On Screen Display）部３と、映像出力部４と、音声出力部５と、ＨＤＤ記録再生部６と、ＤＶＤ記録再生部７と、制御部８と、不揮発性メモリ９と、受光部１０とを備えている。なお、制御部８が、請求項に記載の判定部及びサムネイル静止画像設定部として機能する。
【００１８】
チューナ１は、アンテナ１０２から受け取ったテレビ放送信号の選局及び復調を行う。映像音声圧縮伸長部２は、チューナ１から受け取った映像音声データをＭＰＥＧ（Moving Picture Experts Group）２等に準拠して圧縮符号化したり、ＨＤＤ記録再生部６又はＤＶＤ記録再生部７で再生された圧縮映像音声データを伸長復号したりする。ＯＳＤ（On Screen Display）部３は、映像音声圧縮伸長部２から受け取った映像データと、制御部８からの指示に基づいて生成したＯＳＤ画像データとを合成したり、上記合成処理を行わず映像音声圧縮伸長部２から受け取った映像データをそのまま出力したり、上記合成処理を行わず制御部８からの指示に基づいて生成したＯＳＤ画像データをそのまま出力したりする。映像出力部４は、ＯＳＤ部３の出力信号をデジタル／アナログ変換した後アナログ送信したり、ＯＳＤ部３の出力信号をデジタル送信したりして、ケーブル等（不図示）を介して表示装置１０３の映像外部入力部に出力する。音声出力部５は、映像音声圧縮伸長部２から受け取った音声信号をデジタル／アナログ変換した後アナログ送信したり、映像音声圧縮伸長部２から受け取った音声信号をデジタル送信したりして、ケーブル等（不図示）を介して表示装置１０３の音声外部入力部に出力する。
【００１９】
ＨＤＤ記録再生部６は、画像音声圧縮伸長部２から受け取った圧縮映像音声データをハードディスクに記録したり、ハードディスクに記録されているデータを再生したりする。また、ＤＶＤ記録再生部７は、画像音声圧縮伸長部２から受け取った圧縮映像音声データをＤＶＤに記録したり、ＤＶＤに記録されているデータを再生したりする。なお、ＤＶＤは、ＤＶＤ記録再生部７に対して着脱自在に装着される。
【００２０】
受光部１０は、リモコン送信機１０１から送信されたリモコン赤外線信号を受光して電気信号に変換し、さらにその電気信号から操作コードを抽出して制御部８に出力する。制御部８は、不揮発性メモリ９に格納されている制御プログラム及び各種設定（例えば、各操作コードと各機能との対応関係を示すデータテーブル等）と、受光部１０から受け取った操作コードと、ＨＤＤ搭載ＤＶＤレコーダー１００本体に設けられている操作キー群（不図示）から出力される信号によって定まる操作コードとに応じて、ＨＤＤ搭載ＤＶＤレコーダー１００の各部を制御する。
【００２１】
リモコン送信機１０１は、複数のキーを有する操作キー群１１と、制御部１２と、不揮発性メモリ１３と、発光部１４とを備えている。
【００２２】
操作キー群１１は、ユーザのキー操作に応じた指示信号を制御部１２に送る。制御部１２は、不揮発性メモリ１３に格納されているデータテーブルを参照して、操作キー群１１から受け取った指示信号に対応する操作コードを発光部１４に送る。不揮発性メモリ１３に格納されているデータテーブルは、操作キー群１１から出力される各指示信号と各操作コードとの対応関係を示すデータテーブルである。発光部１４は、制御部１２から受け取った操作コードを搬送波信号に重畳し、その操作コードが重畳された搬送波信号（電気信号）をリモコン赤外線信号（光信号）に変換して出力する。
【００２３】
以下、ＨＤＤ搭載ＤＶＤレコーダー１００の概略動作について図２に示すフローチャートを参照して説明する。
【００２４】
ＨＤＤ搭載ＤＶＤレコーダー１００は、電源がオンになると、図２に示すフローチャートの動作を開始し、電源がオフになると、図２に示すフローチャートの動作を終了する。
【００２５】
ＨＤＤ搭載ＤＶＤレコーダー１００の電源がオンになると、まず、制御部８が、現在のＨＤＤ搭載ＤＶＤレコーダー１００の状態を確認し、タイトルの録画中又は再生中であるか否かを判定する（ステップＳ１０）。
【００２６】
タイトルの録画、タイトルの再生のいずれも行っていなければ（ステップＳ１０のＮＯ）、制御部８は、所定の操作キーへの機能割り当てを通常モード（タイトルのサムネイル静止画像設定用モードではないモード）にし（ステップＳ２０）、その後ステップＳ１０に戻る。一方、タイトルの録画、タイトルの再生のいずれかを行っていれば（ステップＳ１０のＹＥＳ）、制御部８は、所定の操作キーへの機能割り当てをタイトルのサムネイル静止画像設定用モードにし（ステップＳ３０）、その後ステップＳ４０に移行する。
【００２７】
上記所定の操作キーは、タイトルの録画中やタイトルの再生中に用いられることの無い機能が割り当てられている既存のキー（例えば、ＣＬＥＡＲキーやＳＰＡＣＥキーなど）に、タイトルのサムネイル静止画像設定機能を追加で割り当てたものである。したがって、不揮発性メモリ９に格納されている各操作コードと各機能との対応関係を示すデータテーブルにおいて、上記所定の操作キーに対応する操作コードは、通常モード時の機能とタイトルのサムネイル静止画像設定用モード時の機能とに対応している。
【００２８】
上記所定の操作キーを用いることにより、タイトルのサムネイル静止画像設定専用の操作キーを新たに設ける必要がなくなる。すなわち、ソフトウェアの変更のみで対応でき、ハードウェアの変更が必要ないので、低コストで実現可能である。なお、上記所定の操作キーは、リモコン送信機１０１に設けられている操作キー群１１中のものであっても、ＨＤＤ搭載ＤＶＤレコーダー１００本体に設けられている操作キー群中のものであっても構わない。
【００２９】
ステップＳ４０において、制御部８は、受光部１０やＨＤＤ搭載ＤＶＤレコーダー１００本体に設けられている操作キー群（不図示）からの出力に基づいて、上記所定の操作キーがユーザによって押圧されているか否かを判定する。また、ステップＳ４０において、制御部８は、上記所定の操作キーの押圧を検出した場合、上記所定の操作キーの押圧を検出した時点の録画シーン又は再生シーンのアドレスをＲＡＭ（Random Access Memory）等の内蔵メモリに一時的に記憶する。
【００３０】
上記所定の操作キーが押圧されていなければ（ステップＳ４０のＮＯ）、ステップＳ１０に戻る。一方、上記所定の操作キーが押圧されていれば（ステップＳ４０のＹＥＳ）、制御部８は、自己のタイマ機能を用いて、その押圧が所定時間（例えば２秒）継続するか否かを判定する。
【００３１】
押圧が所定時間継続しなければ（ステップＳ５０のＮＯ）、ステップＳ１０に戻る。一方、押圧が所定時間継続すれば（ステップＳ５０のＹＥＳ）、ステップＳ６０に移行する。
【００３２】
ステップＳ６０において、制御部８は、現在録画中又は再生中のタイトルのサムネイル静止画像を設定し、その後ステップＳ１０に戻る。
【００３３】
制御部８は、現在録画中又は再生中のタイトルがハードディスクに記録されている場合は、ステップＳ４０において一時的に記録しているアドレスを、現在録画中又は再生中のタイトルのサムネイル静止画像用アドレスとし、そのサムネイル静止画像用アドレスを現在録画中又は再生中のタイトルと関連付けてハードディスクに記録するように、ＨＤＤ記録再生部６を制御して、現在録画中又は再生中のタイトルのサムネイル静止画像を設定する。また、制御部８は、現在録画中又は再生中のタイトルがＤＶＤに記録されている場合は、ステップＳ４０において一時的に記憶しているアドレスを、現在録画中又は再生中のタイトルのサムネイル静止画像用アドレスとし、そのサムネイル静止画像用アドレスを現在録画中又は再生中のタイトルと関連付けてＤＶＤに記録するように、ＤＶＤ記録再生部７を制御して、現在録画中又は再生中のタイトルのサムネイル静止画像を設定する。なお、サムネイル静止画像用アドレスをハードディスクやＤＶＤではなく不揮発性メモリ９に記録してもよい。この場合、現在録画中又は再生中のタイトルがＤＶＤに記録されているものであれば、サムネイル静止画像用アドレスを現在録画中又は再生中のタイトル及び現在録画中又は再生中のタイトルを記録しているＤＶＤの固有識別情報と関連付けて不揮発性メモリ９に記録するようにする。これにより、ＨＤＤ搭載ＤＶＤレコーダー１００にセットされるＤＶＤの交換にも対応することができる。
【００３４】
タイトルの録画中やタイトルの再生中に用いられることの無い機能が割り当てられている既存のキーは複数あるので、セットアップメニューで表示される複数の候補の中からユーザが上記所定の操作キーを任意に選択することができるようにしてもよい。上記所定時間に関してもセットアップメニューで表示される複数の候補の中からユーザが上記所定時間を任意に選択することができるようにしてもよく、また、セットアップメニューでユーザ操作による数値入力を受け付け、上記所定時間を入力された数値に設定するようにしてもよい。
【００３５】
図２に示すフローチャート動作の代わりに、ＨＤＤ搭載ＤＶＤレコーダー１００が図３に示すフローチャート動作を行うようにしてもよい。なお、図３において図２と同一のステップには同一の符号を付し詳細な説明を省略する。
【００３６】
図３に示すフローチャートは、図２に示すフローチャートのステップＳ６０をステップＳ７０に置換したものである。ステップＳ７０において、制御部８は、上記所定の操作キーの押圧を検出した時点の録画シーン又は再生シーンのアドレスを現在録画中又は再生中のタイトルのサムネイル静止画像候補シーンのアドレスとして内蔵メモリ又は不揮発性メモリ９に一時的に記録し、その後ステップＳ１０に戻る。
【００３７】
ＨＤＤ搭載ＤＶＤレコーダー１００が図３に示すフローチャート動作を行う場合、録画中又は再生中のタイトルの録画又は再生が終了したときに、その録画又は再生が終了したタイトルにおいてサムネイル静止画像候補シーンが結果的に一つしか記録されていなければ、自動的にサムネイル静止画像候補シーンのアドレスをサムネイル静止画像用アドレスとし、録画又は再生が終了したタイトルのサムネイル静止画像を設定することが望ましい。
【００３８】
また、ＨＤＤ搭載ＤＶＤレコーダー１００が図３に示すフローチャート動作を行う場合、録画中又は再生中のタイトルの録画又は再生が終了したときに、その録画又は再生が終了したタイトルにおいてサムネイル静止画像候補シーンが複数記録されていれば、自動的に又はユーザ操作に従って、録画又は再生が終了したタイトルのサムネイル静止画像候補シーンの一覧が表示装置１０３に表示されるようにし、ユーザがその一覧を確認し、リモコン送信機１０１やＨＤＤ搭載ＤＶＤレコーダー１００本体に設けられている操作キーを操作することにより、録画又は再生が終了したタイトルのサムネイル静止画像として採用するシーンを選択することが望ましい。
【００３９】
ＨＤＤ搭載ＤＶＤレコーダー１００は、タイトルと関連付けて記録されているサムネイル静止画像用アドレス並びにタイトルと関連付けて記録されているタイトル名データ及び記録日時データを読み出して、タイトル毎にタイトルのサムネイル静止画像、タイトル名、及び記録日時を一覧で表示させるためのタイトルメニュー画像データを出力する機能を有している。タイトルと関連付けて記録されているサムネイル静止画像用アドレスは、タイトルと別のデータであってもよく、タイトルに含まれる管理情報の一部であってもよい。同様に、タイトルと関連付けて記録されているタイトル名データ及び記録日時データも、タイトルと別のデータであってもよく、タイトルに含まれる管理情報の一部であってもよい。
【００４０】
ＨＤＤ搭載ＤＶＤレコーダー１００がタイトルメニュー画像データを出力すると、図４に示すタイトルメニュー画像が表示装置１０３に表示される。図４では、タイトルＣのサムネイル静止画像がハイライト表示になっているが、ハイライト表示されるタイトルはユーザ操作により選択可能であり、ユーザ装置によりその選択が確定すると、選択確定されたタイトルの再生が開始される。タイトルメニュー画像は、図４に示す形態に限定されることはなく、例えば、ハイライト表示されているタイトルについては、ハイライト表示された時点でサムネイル静止画像から当該タイトルの再生画像（動画像）に切り替えるようにしてもよい。再生画像（動画像）はタイトルの先頭シーンから開始されてもよく、サムネイル静止画像のシーンから開始されてもよい。
【００４１】
なお、本発明は、上記実施形態に限定されることはなく、例えば、ステップＳ５０の処理はユーザの誤操作を防止することができる反面ユーザの利便性を損なうものであるので、ユーザの利便性を優先してステップＳ５０の処理を廃止しても構わない。
【００４２】
また、本発明に係る情報記録再生装置は、ＨＤＤ搭載ＤＶＤレコーダーに限らず、例えばＢＤ（Blu-ray Disk）レコーダーであってもよい。
【符号の説明】
【００４３】
１  チューナ
２  映像音声圧縮伸長部
３  ＯＳＤ部
４  映像出力部
５  音声出力部
６  ＨＤＤ記録再生部
７  ＤＶＤ記録再生部
８、１２  制御部
９、１３  不揮発性メモリ
１０  受光部
１１  操作キー群
１４  発光部
１００  ＨＤＤ搭載ＤＶＤレコーダー
１０１  リコモン送信機
１０２  チューナ
１０３  表示装置
【図１】
2010176736.tif 000003
【図２】
2010176736.tif 000004
【図３】
2010176736.tif 000005
【図４】
2010176736.tif 000006